(57)【要約】【課題】グリル部のメンテナンス性を向上させる。【解決手段】ガスコンロ１０は、コンロ本体１２と、グリルユニット１８とを備える。コンロ本体１２は、グリル収容空間２６を有する。グリルユニット１８は、グリル皿４０を収容する箱状のグリル本体４６と、グリル本体４６に組み付けられた下火バーナ４８及び上火バーナ５０とを少なくとも有してユニット化されている。このグリルユニット１８は、グリル収容空間２６に取り出し可能に収容されている。【選択図】図２
2017083039.tif 000002
【特許請求の範囲】
【請求項１】
グリル収容空間を有するコンロ本体と、
グリル皿を収容する箱状のグリル本体と、前記グリル本体に組み付けられたグリルバーナとを少なくとも有してユニット化されると共に、前記グリル収容空間に取り出し可能に収容されたグリルユニットと、
を備えるガスコンロ。
【請求項２】
前記コンロ本体の前面には、前記グリル収容空間と連通する前面開口が形成され、
前記グリルユニットは、前記前面開口を通じて前記グリル収容空間から取り出し可能とされ、
前記コンロ本体は、
天面開口を有するケースと、
前記天面開口を塞ぐ天板と、
前記コンロ本体の内部に設けられたガス供給管と、
前記ガス供給管の先端部に設けられた接続具と、
前記ガス供給管に設けられたコックと、
を有し、
前記グリルユニットは、
前記グリルバーナから延びるガス配管と、
前記ガス配管の先端部に設けられ、前記接続具と接続されている被接続具と、
を有し、
前記接続具と前記被接続具との接続部、及び、前記コックは、前記天板が取り外されることにより、前記天面開口を通じて前記コンロ本体の上方に露呈される、
請求項１に記載のガスコンロ。
【請求項３】
前記コンロ本体の内部に設けられ、前記前面開口を通じた前記グリルユニットの取り出しを規制する規制部を備え、
前記規制部は、前記天板が取り外されることにより、前記天面開口を通じて前記コンロ本体の上方に露呈される、
請求項２に記載のガスコンロ。
【請求項４】
前記規制部は、前記接続具と前記被接続具との接続部に設けられ、前記接続具と前記被接続具との接続状態を保持するロック部である、
請求項３に記載のガスコンロ。
【請求項５】
前記接続具と前記被接続具との接続部、及び、前記コックは、前記グリルユニットの背面部と、前記コンロ本体の背面部との間に配置されている、
請求項２〜請求項４のいずれか一項に記載のガスコンロ。
【発明の詳細な説明】
【技術分野】
【０００１】
本発明は、ガスコンロに関する。
【背景技術】
【０００２】
従来、グリル部を備えたガスコンロが知られている（例えば、特許文献１参照）。この従来のガスコンロでは、グリル部を構成する複数の部品のうち一部の部品については清掃できる仕様であったが、調理後の臭いや汚れを十分に除去することは困難であった。また、グリル部は、多くの部品により構成されており、清掃などのメンテナンスの際には、グリル部を構成する多くの部品を一つずつ取り外したり組み付けたりする必要があり、分解や組み立てに非常に手間がかかっていた。
【先行技術文献】
【特許文献】
【０００３】
【特許文献１】特開２０１５−１３７８０９号公報
【発明の概要】
【発明が解決しようとする課題】
【０００４】
本発明は、上記事情に鑑みて成されたものであって、グリル部のメンテナンス性を向上させることができるガスコンロを提供することを目的とする。
【課題を解決するための手段】
【０００５】
上記目的を達成するために、請求項１に記載のガスコンロは、グリル収容空間を有するコンロ本体と、グリル皿を収容する箱状のグリル本体と、前記グリル本体に組み付けられたグリルバーナとを少なくとも有してユニット化されると共に、前記グリル収容空間に取り出し可能に収容されたグリルユニットと、を備える。
【０００６】
このガスコンロによれば、グリル部は、グリル皿を収容する箱状のグリル本体と、グリル本体に組み付けられたグリルバーナとを少なくとも有してユニット化されたグリルユニットにより構成されている。このグリルユニットは、コンロ本体に設けられたグリル収容空間から取り出し可能とされている。
【０００７】
したがって、清掃などのメンテナンスの際には、グリルユニットをグリル収容空間から取り出せば良く、グリル部を構成する部品を一つずつ取り外したり組み付けたりする必要が無いので、グリル部のメンテナンス効率を向上させることができる。しかも、ユニット化されたグリルユニットを取り出した状態でグリルユニットを清掃することができるので、グリルユニットの清掃が容易であり、グリルユニットを清潔にすることができる。以上より、グリル部のメンテナンス性を向上させることができる。
【０００８】
なお、請求項２に記載のように、請求項１に記載のガスコンロにおいて、前記コンロ本体の前面には、前記グリル収容空間と連通する前面開口が形成され、前記グリルユニットは、前記前面開口を通じて前記グリル収容空間から取り出し可能とされ、前記コンロ本体は、天面開口を有するケースと、前記天面開口を塞ぐ天板と、前記コンロ本体の内部に設けられたガス供給管と、前記ガス供給管の先端部に設けられた接続具と、前記ガス供給管に設けられたコックと、を有し、前記グリルユニットは、前記グリルバーナから延びるガス配管と、前記ガス配管の先端部に設けられ、前記接続具と接続されている被接続具と、を有し、前記接続具と前記被接続具との接続部、及び、前記コックは、前記天板が取り外されることにより、前記天面開口を通じて前記コンロ本体の上方に露呈されても良い。
【０００９】
このように、天板が取り外されることにより、接続具と被接続具との接続部、及び、コックが天面開口を通じてコンロ本体の上方に露呈されるように構成されていると、天板が外されるまでは、接続具と被接続具との接続状態の解除、及び、コックの閉止操作を不可能とすることができる。これにより、例えばユーザがグリル部のメンテナンスのために接続具と被接続具との接続状態の解除及びコックの閉止操作を勝手に行うことを防止することができる。
【００１０】
また、請求項３に記載のように、請求項２に記載のガスコンロにおいて、前記コンロ本体の内部に設けられ、前記前面開口を通じた前記グリルユニットの取り出しを規制する規制部を備え、前記規制部は、前記天板が取り外されることにより、前記天面開口を通じて前記コンロ本体の上方に露呈されても良い。
【００１１】
このように、グリルユニットの取り出しを規制する規制部を備え、この規制部が、天板が取り外されることにより天面開口を通じてコンロ本体の上方に露呈されるように構成されていると、天板が外されるまでは、規制部による規制の解除、ひいては、グリルユニットの取り出しを不可能にすることができる。これにより、例えばユーザがグリル部のメンテナンスのためにグリルユニットを勝手に取り出すことを防止することができる。
【００１２】
また、請求項４に記載のように、請求項３に記載のガスコンロにおいて、前記規制部は、前記接続具と前記被接続具との接続部に設けられ、前記接続具と前記被接続具との接続状態を保持するロック部であっても良い。
【００１３】
このように、接続具と被接続具との接続状態を保持するロック部が、グリルユニットの取り出しを規制する規制部を兼ねる構成とされていると、専用の規制部を備える場合に比してコンロ本体の内部構造を簡素化することができると共に、コストダウンすることができる。
【００１４】
また、請求項５に記載のように、請求項２〜請求項４のいずれか一項に記載のガスコンロにおいて、前記接続具と前記被接続具との接続部、及び、前記コックは、前記グリルユニットの背面部と、前記コンロ本体の背面部との間に配置されていても良い。
【００１５】
このように、接続具と被接続具との接続部、及び、コックが、グリルユニットの背面部と、コンロ本体の背面部との間に配置されていると、コンロ本体の前面に形成された前面開口を通じてグリルユニットを取り出す際に、接続具と被接続具との接続部、及び、コックが、グリルユニットの取り出しの邪魔になることを防止することができる。これにより、グリルユニットの取り出しが容易になるので、グリル部のメンテナンス性をより一層向上させることができる。
【発明の効果】
【００１６】
以上詳述したように、本発明によれば、グリル部のメンテナンス性を向上させることができる。
【図面の簡単な説明】
【００１７】
【図１】ガスコンロの斜視図である。
【図２】ガスコンロの分解斜視図である。
【図３】天板を取り外した状態でのガスコンロの平面図である。
【図４】天板を取り外した状態でコンロ本体からグリルユニットを取り出した状態を示す斜視図である。
【図５】グリルユニットの斜視図である。
【図６】接続具と被接続具との接続状態及び接続解除状態を示す平面図である。
【発明を実施するための形態】
【００１８】
以下、図面を参照しながら、本発明の一実施形態について説明する。
【００１９】
図１，図２に示されるように、本発明の一実施形態に係るガスコンロ１０は、コンロ本体１２と、一対のバーナ１４と、引き出し１６と、グリルユニット１８とを備える。
【００２０】
コンロ本体１２は、偏平直方体の筐体であり、ケース２０と、天板２２とを有する。図２に示されるように、ケース２０の天面には、天面開口２４が形成されており、この天面開口２４は、天板２２によって塞がれる。また、コンロ本体１２の内側中央部には、後述するグリルユニット１８を収容するためのグリル収容空間２６が設けられており、コンロ本体１２の前面には、グリル収容空間２６と連通する前面開口２８が形成されている。
【００２１】
一対のバーナ１４は、グリル収容空間２６を挟んだ両側に配置されており、コンロ本体１２に組み付けられている。各バーナ１４の上部には、バーナヘッド３０が設けられており、このバーナヘッド３０は、天板２２に形成された穴３２を通じて天板２２上に配置される。
【００２２】
図３，図４に示されるように、コンロ本体１２の内部には、後述するグリルユニット１８に向けて延びる一対のガス供給管３４が設けられており、各ガス供給管３４の先端部には、接続具３６が設けられている。また、各ガス供給管３４には、コック３８が設けられている。コック３８は、回転操作することができ、回転位置により開状態と閉状態とに切り替わるようになっている。
【００２３】
図２に示されるように、引き出し１６は、グリル皿４０と、グリル網４２と、前面板４４とを有する。グリル網４２は、グリル皿４０の内側にセットされる。また、前面板４４は、グリル皿４０の前端部に固定されている。
【００２４】
グリルユニット１８は、箱状のグリル本体４６と、一対の下火バーナ４８と、上火バーナ５０とを有している（図５も参照）。グリル本体４６の前面は、開口されており、このグリル本体４６の内側には、グリル皿４０が収容される。グリル本体４６の内側にグリル皿４０が収容された状態において、グリル本体４６の前面に形成された開口は、前面板４４により塞がれる。
【００２５】
一対の下火バーナ４８は、グリル本体４６の両側の側壁部に設けられており、上火バーナ５０は、グリル本体４６の天井部に設けられている。グリルユニット１８は、下火バーナ４８及び上火バーナ５０等がグリル本体４６に一体に組み付けられることにより、ユニット化されている。下火バーナ４８及び上火バーナ５０は、本発明における「グリルバーナ」の一例である。
【００２６】
なお、グリルユニット１８は、下火バーナ４８及び上火バーナ５０の他に、例えば、下火バーナ４８及び上火バーナ５０の燃焼炎を整えるための整流板や、センサ類、イグナイタ等を一体に有することによりユニット化されている。
【００２７】
このユニット化されたグリルユニット１８は、コンロ本体１２のグリル収容空間２６に取り出し可能に収容されている。グリルユニット１８の前面部は、例えば、ネジ等の固定具５２によって前面開口２８の周縁部に固定されている。
【００２８】
図３に示されるように、コンロ本体１２には、例えば、クリップ機構５４等が設けられている。グリルユニット１８がグリル収容空間２６に収容された状態では、グリルユニット１８がクリップ機構５４によって固定される。クリップ機構５４は、グリルユニット１８を引き出すことで固定状態が解除されるようになっており、グリルユニット１８は、前面開口２８を通じてグリル収容空間２６から取り出し可能となっている（図４参照）。
【００２９】
グリルユニット１８の背面部６２には、下火バーナ４８及び上火バーナ５０からそれぞれ延びるガス配管５６が設けられており、各ガス配管５６の先端部には、被接続具５８が設けられている。各被接続具５８は、各接続具３６と接続されている。この接続具３６及び被接続具５８は、コンロ本体１２の奥行方向（グリルユニット１８の取り出し方向）を接続方向として配置されている。この接続具３６と被接続具５８との接続部６０、及び、コック３８は、グリルユニット１８の背面部６２と、コンロ本体１２の背面部６４との間に配置されている。
【００３０】
また、図６に示されるように、接続具３６には、ロック部６６が設けられている。このロック部６６は、接続具３６の軸方向に移動可能とされている。そして、ロック部６６が接続具３６の先端側に位置している状態では、接続具３６及び被接続具５８の接続状態が保持され、ロック部６６が接続具３６の基端側に位置している状態では、接続具３６及び被接続具５８の接続保持状態が解除されるようになっている。
【００３１】
このロック部６６は、本発明における「規制部」の一例である。ロック部６６によって接続保持状態が解除されることにより、被接続具５８及び被接続具５８の一方が他方から引き抜き可能となる。
【００３２】
また、図３に示されるように、本実施形態のガスコンロ１０では、天板２２（図２参照）が取り外されると、接続具３６と被接続具５８との接続部６０（ロック部６６を含む）、及び、コック３８が、天面開口２４を通じてコンロ本体１２の上方に露呈されるように構成されている。
【００３３】
次に、本発明の一実施形態に係るガスコンロ１０におけるグリル部のメンテナンス方法を説明する。
【００３４】
先ず、図２に示されるように、天板２２を取り外すと共に、グリルユニット１８から引き出し１６を引き抜いた状態とする。また、固定具５２を取り外し、グリルユニット１８の前面部とコンロ本体１２における前面開口２８の周縁部との固定状態を解除する。
【００３５】
天板２２が取り外されると、図３に示されるように、接続具３６と被接続具５８との接続部６０（ロック部６６を含む）、及び、コック３８が、天面開口２４を通じてコンロ本体１２の上方に露呈される。そして、作業者が、接続具３６と被接続具５８との接続部６０、及び、コック３８に手を伸ばして触れることができる状態（アクセス可能な状態）となる。
【００３６】
続いて、天面開口２４を通じてコンロ本体１２の内部に手を伸ばし、コック３８を閉状態にする。また、ロック部６６を接続具３６の基端側にスライドさせて接続具３６及び被接続具５８の接続保持状態を解除し、接続具３６及び被接続具５８の一方を他方から引き抜いて接続具３６と被接続具５８との接続を解除する。そして、図４に示されるように、前面開口２８を通じてグリルユニット１８をグリル収容空間２６から取り出す。
【００３７】
本実施形態では、以上の要領により、グリルユニット１８をコンロ本体１２から取り外すことが可能である。このように、グリルユニット１８をコンロ本体１２から取り外した状態では、コンロ本体１２とは切り離した状態でグリルユニット１８に対して例えば清掃などのメンテナンスを施すことが可能である。
【００３８】
次に、本発明の一実施形態の作用及び効果について説明する。
【００３９】
以上詳述したように、本発明の一実施形態に係るガスコンロ１０によれば、グリル部は、グリル皿４０を収容する箱状のグリル本体４６と、グリル本体４６に組み付けられた下火バーナ４８及び上火バーナ５０とを少なくとも有してユニット化されたグリルユニット１８により構成されている。このグリルユニット１８は、コンロ本体１２に設けられたグリル収容空間２６から取り出し可能とされている。
【００４０】
したがって、清掃などのメンテナンスの際には、グリルユニット１８をグリル収容空間２６から取り出せば良く、グリル部を構成する部品を一つずつ取り外したり組み付けたりする必要が無いので、グリル部のメンテナンス効率を向上させることができる。しかも、ユニット化されたグリルユニット１８を取り出した状態でグリルユニット１８を清掃することができるので、グリルユニット１８の清掃が容易であり、グリルユニット１８を清潔にすることができる。以上より、グリル部のメンテナンス性を向上させることができる。
【００４１】
また、本実施形態のガスコンロ１０では、天板２２が取り外されることにより、接続具３６と被接続具５８との接続部６０、及び、コック３８が天面開口２４を通じてコンロ本体１２の上方に露呈されるように構成されている。したがって、天板２２が外されるまでは、接続具３６と被接続具５８との接続状態の解除、及び、コック３８の閉止操作を不可能とすることができる。これにより、例えばユーザがグリル部のメンテナンスのために接続具３６と被接続具５８との接続状態の解除及びコック３８の閉止操作を勝手に行うことを防止することができる。
【００４２】
また、本実施形態のガスコンロ１０では、接続具３６にロック部６６が設けられており、このロック部６６を接続具３６の基端側に位置させた状態にしないと、接続具３６及び被接続具５８の接続保持状態を解除できないようになっている。つまり、ロック部６６は、接続具３６と被接続具５８との接続状態を保持することでグリルユニット１８の取り出しを規制する規制部の役割を備えている。
【００４３】
そして、このロック部６６は、天板２２が取り外されることにより天面開口２４を通じてコンロ本体１２の上方に露呈される。したがって、天板２２が外されるまでは、ロック部６６による規制の解除、ひいては、グリルユニット１８の取り出しを不可能にすることができる。これにより、例えばユーザがグリル部のメンテナンスのためにグリルユニット１８を勝手に取り出すことを防止することができる。
【００４４】
また、ロック部６６は、接続具３６と被接続具５８との接続状態を保持する他に、上述の如くグリルユニット１８の取り出しを規制する規制部を兼ねる構成とされているので、専用の規制部を備える場合に比してコンロ本体１２の内部構造を簡素化することができると共に、コストダウンすることができる。
【００４５】
また、接続具３６と被接続具５８との接続部６０、及び、コック３８は、グリルユニット１８の背面部６２と、コンロ本体１２の背面部６４との間に配置されている。したがって、コンロ本体１２の前面に形成された前面開口２８を通じてグリルユニット１８を取り出す際に、接続具３６と被接続具５８との接続部６０、及び、コック３８が、グリルユニット１８の取り出しの邪魔になることを防止することができる。これにより、グリルユニット１８の取り出しが容易になるので、グリル部のメンテナンス性をより一層向上させることができる。
【００４６】
次に、本発明の一実施形態の変形例について説明する。
【００４７】
上記実施形態において、グリルユニット１８は、下火バーナ４８、上火バーナ５０の他に、整流板、センサ類、及び、イグナイタ等を一体に有することによりユニット化されている。しかしながら、グリルユニット１８は、下火バーナ４８、上火バーナ５０の他に、上記以外の部材を一体に有することによりユニット化されていても良い。
【００４８】
また、上記実施形態において、グリルユニット１８は、下火バーナ４８及び上火バーナ５０の両方を備えるが、下火バーナ４８及び上火バーナ５０のどちらか一方を備えていなくても良い。
【００４９】
また、上記実施形態では、グリルユニット１８の取り出しを規制する規制部として、ロック部６６が用いられているが、ロック部６６以外に、例えば、結束バンド等の専用の部材が用いられても良い。
【００５０】
また、上記実施形態では、接続具３６と被接続具５８との接続状態を保持するために、ロック部６６が用いられているが、ロック部６６以外の部材が用いられても良い。
【００５１】
また、上記実施形態において、接続具３６と被接続具５８との接続部６０、及び、ガス配管５６は、グリルユニット１８の背面部６２と、コンロ本体１２の背面部６４との間に配置されているが、グリルユニット１８の側方に、グリルユニット１８の取り出し方向と平行に配置されても良い。このように構成されていると、グリル部の奥行を確保できるか、又は、ガスコンロ１０の奥行を短くすることができる。
【００５２】
以上、本発明の一実施形態について説明したが、本発明は、上記に限定されるものでなく、上記以外にも、その主旨を逸脱しない範囲内において種々変形して実施可能であることは勿論である。
【符号の説明】
【００５３】
１０…ガスコンロ、１２…コンロ本体、１４…バーナ、１８…グリルユニット、２０…ケース、２２…天板、２４…天面開口、２６…グリル収容空間、２８…前面開口、３４…ガス供給管、３６…接続具、３８…コック、４０…グリル皿、４２…グリル網、４４…前面板、４６…グリル本体、４８…下火バーナ、５０…上火バーナ、５２…固定具、５４…クリップ機構、５６…ガス配管、５８…被接続具、６０…接続部、６２，６４…背面部、６６…ロック部（規制部の一例）
【図１】
2017083039.tif 000003
【図２】
2017083039.tif 000004
【図３】
2017083039.tif 000005
【図４】
2017083039.tif 000006
【図５】
2017083039.tif 000007
【図６】
2017083039.tif 000008